【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
調整可能なフロントエンドレシーバと、
前記フロントエンドレシーバに結合された調整可能なアナログフィルタ（ＡＦ）と、
前記アナログフィルタに結合されたアナログデジタル変換器（ＡＤＣ）と、
前記アナログデジタル変換器（ＡＤＣ）からデジタル信号を受信する複数の抽出主ニットと、
複数の評価ユニットと、
複数の検出ユニットと、
スイッチユニットを制御することで、前記複数の評価ユニットと前記複数の検出ユニットとのうちの少なくとも１つから受信した信号に基づいて、前記複数の抽出ユニットのうちの少なくとも１つの周波数と帯域幅とを固定する第１の制御ユニットと
を備えることを特徴とする装置。
【請求項２】
前記フロントエンドレシーバ及び前記アナログフィルタは、該フロントエンドレシーバが同調することになる第１の搬送波周波数を含む第１の周波数帯域幅の全体にわたって周波数信号を受信するように構成されており、
前記アナログデジタル変換器は、前記フロントエンドレシーバ及び前記アナログフィルタによって生成されたアナログ信号を第１の周波数帯域幅のデジタル信号に変換するように構成されており、
前記複数の抽出ユニットのそれぞれは、前記第１のデジタル信号から前記第１の周波数帯域幅と同一かまたはそれよりも狭い周波数帯域幅の第２のデジタル信号を抽出するように構成されており、
前記第２のデジタル信号は、前記複数の無線通信システムのうちの少なくとも１つで実行されている通信に関連付けられている
ことを特徴とする請求項１に記載の装置。
【請求項３】
前記複数の検出ユニットのそれぞれは、前記複数の無線通信システムにおけるいずれかの通信セッションをサポートするように構成されており、
前記複数の評価ユニットのそれぞれは、前記検出ユニットが前記通信セッションをサポートしている間、前記複数の無線通信システムのうちの少なくとも１つの通信に関連付けられた他の複数の周波数帯域幅について動作する
ことを特徴とする請求項２に記載の装置。
【請求項４】
第１の抽出ユニットは、前記複数の無線通信システムの１つにおける通信セッションをサポートする、前記複数の検出ユニットうちの少なくとも１つと切り替え可能に結合されており、
第２の抽出ユニットは、ハンドオーバの候補となる少なくとも１つの信号を評価する前記複数の評価ユニットのうちの１つと切り替え可能に結合されている
ことを特徴とする請求項３に記載の装置。
【請求項５】
前記第１の制御ユニットは、前記第１の周波数帯域幅と前記第１の搬送波周波数とのいずれか一方を調整するように構成されている
ことを特徴とする請求項２に記載の装置。
【請求項６】
前記第１の制御ユニットは、複数の前記第２のデジタル信号の１つに関連付けられた通信品質に基づいて、前記フロントエンドレシーバの調整を制御する
ことを特徴とする請求項５に記載の装置。
【請求項７】
前記第１の制御ユニットは、第１のイベントまたは第２のイベントのいずれか一方が発生するまで、前記フロントエンドレシーバと前記アナログフィルタとの少なくとも一方に信号を伝達することで、前記第１の周波数帯域幅を拡張し、
前記第１のイベントは、前記通信品質が所定の品質値に到達したことであり、
前記第２のイベントは、前記第１の周波数帯域幅が所定の帯域幅に到達したことである
ことを特徴とする請求項６に記載の装置。
【請求項８】
前記第１の制御ユニットは、第１のイベントまたは第２のイベントのいずれか一方が発生するまで、前記フロントエンドレシーバと前記アナログフィルタとの少なくとも一方に信号を伝達することで、前記搬送波周波数を変更し、
前記第１のイベントは、前記通信品質が所定の品質値に到達したことであり、
前記第２のイベントは、前記搬送波周波数が所定の周波数に到達したことである
ことを特徴とする請求項６に記載の装置。
【請求項９】
前記第１の制御ユニットは、前記第１の周波数帯域幅と前記第１の搬送波周波数との双方を調整するように構成されている
ことを特徴とする請求項２に記載の装置。
【請求項１０】
前記装置は、移動無線通信システムにおいて使用される装置である
ことを特徴とする請求項２に記載の装置。
【請求項１１】
前記複数の抽出ユニットのそれぞれは、ＷＣＤＭＡシステム、ＧＳＭシステム、および、ＯＦＤＭをベースとしたシステムのうちいずれかから信号を受信するように構成されている
ことを特徴とする請求項２に記載の装置。
【請求項１２】
前記アナログデジタル変換器に結合され、該アナログデジタル変換器から出力されたデジタル信号を記憶するように構成されたデジタルデータ記憶ユニットをさらに含む
ことを特徴とする請求項１に記載の装置。
【請求項１３】
（ａ）前記第１のユニットと、（ｂ）前記フロントエンドレシーバ及び前記アナログフィルタとの間に結合された第２の制御ユニットをさらに備え、
前記第２の制御ユニットは、
（ｘ）前記第２の制御ユニットからの制御情報に応答して、前記フロントエンドレシーバを調整することで、前記帯域幅の中心周波数を調整するか、または、
（ｙ）前記第２の制御ユニットからの制御情報に応答して、前記アナログフィルタを調整することで、前記帯域幅のサイズを調整する
ことを特徴とする請求項１に記載の装置。
【請求項１４】
複数の無線通信システムにおいて実行される方法であって、
第１の搬送波周波数を含む第１の周波数帯域幅の全体にわたって周波数信号を受信する受信ステップと、
前記受信ステップにおいて生成されたアナログ信号を、第１の周波数帯域幅に対応した第１のデジタル信号に変換する変換ステップと、
第２の搬送波周波数を含むとともに前記第１の周波数帯域幅と同一かまたはそれよりも狭い第２の周波数帯域幅に対応した第２のデジタル信号を、前記第１のデジタル信号から抽出する抽出ステップと、
前記抽出ステップと並行して、搬送波周波数を含むとともに前記第１の周波数帯域幅と同一かまたはそれよりも狭い周波数帯域幅に対応した少なくとも１つの他の第２のデジタル信号を前記第１のデジタル信号から抽出するステップと、
抽出された複数のデジタル信号を、複数の抽出ユニットに結合された複数の評価及び検出ユニットを使用して、評価し検出するステップと、
前記複数の評価及び検出ユニットから受信した複数の信号に基づいて、前記複数の抽出ユニットにおける中心周波数と帯域幅とを調整するステップと
を備え、
前記第２の周波数帯域幅及び前記第２の搬送波周波数は、前記複数の無線通信システムのうちの第１の無線通信システムに関連付けられおり、
前記第１の周波数帯域幅と同一かまたはそれよりも狭い周波数帯域幅及びそれ対応した前記搬送波周波数は、前記第２のデジタル信号を使用している無線通信システムと類似または異なる無線通信システムにおける通信に関連付けられていることを特徴とする方法。
【請求項１５】
前記第１のデジタル信号を記憶する記憶ステップをさらに備え、
前記抽出ステップ及び前記抽出するステップは、
前記受信ステップが完了した後は、前記記憶ステップにおいて記憶された前記第１のデジタル信号から、前記第２のデジタル信号と前記少なくとも１つの他の第２のデジタル信号を抽出するステップを含む
ことを特徴とする請求項１４に記載の方法。
【請求項１６】
前記受信ステップは、
前記第２のデジタル信号と前記少なくとも１つの他の第２のデジタル信号との１つに関連付けられた通信品質に基づいて、前記第１の周波数帯域幅と前記第１の搬送波周波数との一方を調整する調整ステップを含む
ことを特徴とする請求項１４に記載の方法。
【請求項１７】
前記調整ステップは、ハンドオーバが発生したときはいつでも実行され、かつ、周期的なグループから１つが発生した時点においても実行される
ことを特徴とする請求項１４に記載の方法。